【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】
多値のカラー画像データを出力する画像処理装置であって、
前記多値のカラー画像データの色成分をＮ１値に量子化し、前記Ｎ１値を表現可能なＫ１ビットのコードとして出力する第１量子化手段と、
前記多値のカラー画像データの色成分を前記Ｎ１より大きいＮ２値に量子化し、前記Ｎ２値を表現可能なＫ２ビットのコードとして出力する第２量子化手段と、
前記多値のカラー画像データの色成分に応じて、前記第１量子化手段または前記第２量子化手段のいずれかを選択する量子化選択手段と、
前記量子化選択手段によって前記第１量子化手段が選択された場合には、前記Ｋ１ビットのコードをＭ画素分集めて、Ｋ１×Ｍ未満のＬ１ビットのコードに変換する変換手段と、
前記変換手段から出力されるデータを所定ビット単位のデータにまとめて出力する出力手段と、
を有することを特徴とする画像処理装置。
【請求項２】
前記第２量子化手段が選択された場合には、前記Ｋ２ビットのコードを変換せずに出力することを特徴とする請求項１に記載の画像処理装置。
【請求項３】
前記量子化選択手段は、相対的に濃度の高いインクで記録が成される色成分については第１量子化手段を用い、相対的に濃度の低いインクで記録が成される色成分については第２量子化手段を用いることを特徴とする請求項１に記載の画像処理装置。
【請求項４】
前記濃度の低い色成分は、ライトシアンおよびライトマゼンタであり、前記濃度の高い色成分は、シアン、マゼンタ、イエローおよびブラックであることを特徴とする請求項３に記載の画像処理装置。
【請求項５】
前記所定ビット単位は前記Ｌ１ビットの自然倍数であり、前記所定ビット単位のデータは画像記録装置へ転送されることを特徴とする請求項１乃至請求項４のいずれか１項に記載の画像処理装置。
【請求項６】
前記量子化選択手段は、更に前記第１量子化手段または前記第２量子化手段のいずれかの選択を指示する記録モードに基づいて前記第１量子化手段または前記第２量子化手段を選択する選択手段とを有することを特徴とする請求項１乃至請求項５のいずれか１項に記載の画像処理装置。
【請求項７】
前記選択手段は、前記画像データを出力する記録装置の種類、メディアの種類、解像度のいずれか１つに応じて、前記第１量子化手段または前記第２量子化手段のいずれかの手段を選択することを特徴とする請求項１乃至請求項６のいずれか１項に記載の画像処理装置。
【請求項８】
情報量が削減されて出力されたカラー画像データに基づいて画像を記録する画像記録装置であって、
前記カラー画像データの色成分に応じて、所定ビット単位で、圧縮処理されているコードと、圧縮処理されていないコードとに分離する分離手段と、
前記分離手段によって分離された前記圧縮処理されているコードを復元する復元手段と、
前記圧縮処理されていないコードおよび前記復元されたコードを用いて前記画像を記録する画像記録手段と、
を有することを特徴とする画像記録装置。
【請求項９】
前記圧縮処理されているコードとは、Ｎ１値を表現可能なＫ１ビットのコードをＭ画素分集めて、Ｋ１×Ｍ未満のＬ１ビットのコードに圧縮されたコードであり、前記圧縮処理されていないコードとは、Ｎ２値を表現可能なＫ２ビットのコードであることを特徴とする請求項８に記載の画像記録装置。
【請求項１０】
前記復元手段は、前記圧縮処理されているＬ１ビットのコードを、前記Ｋ１ビットのコードのＭ画素分に復元することを特徴とする請求項９に記載の画像記録装置。
【請求項１１】
前記画像記録手段は、前記Ｋ２ビットのコードおよび前記Ｋ１ビットのコードを用いて、前記画像を記録することを特徴とする請求項９に記載の画像記録装置。
【請求項１２】
前記圧縮処理されているコードは、前記カラー画像データの色成分のうちで、相対的に濃度の高いインクで記録が成される色成分であり、前記圧縮処理されていないコードは、相対的に濃度の低いインクで記録が成される色成分であることを特徴とする請求項８に記載の画像記録装置。
【請求項１３】
情報処理装置で実行され、画像記録装置に記録用の多値のカラー画像データを出力するプリンタドライバであって、
前記多値のカラー画像データの色成分をＮ１値に量子化し、前記Ｎ１値を表現可能なＫ１ビットのコードとして出力する第１量子化工程のコードと、
前記多値のカラー画像データの色成分を前記Ｎ１より大きいＮ２値に量子化し、前記Ｎ２値を表現可能なＫ２ビットのコードとして出力する第２量子化工程のコードと、
前記多値のカラー画像データの色成分に応じて、前記第１量子化工程または前記第２量子化工程のいずれかを選択する量子化選択工程のコードと、
前記量子化選択工程によって前記第１量子化工程が選択された場合に、前記Ｋ１ビットのコードをＭ画素分集めて、Ｋ１×Ｍ未満のＬ１ビットのコードに変換する変換工程のコードと、
前記量子化選択工程によって前記第２量子化工程が選択された場合に、前記Ｋ２ビットのコードを変換せずにそのまま出力する無変換工程のコードと、
前記変換工程および前記無変換工程から出力されるデータを所定ビット単位のデータにまとめて出力する出力工程のコードと、
を有することを特徴とするプリンタドライバ。
【請求項１４】
多値のカラー画像データを出力する画像処理装置の制御方法であって、
前記多値のカラー画像データの色成分をＮ１値に量子化し、前記Ｎ１値を表現可能なＫ１ビットのコードとして出力する第１量子化工程と、
前記多値のカラー画像データの色成分をＮ２（Ｎ２＞Ｎ１）値に量子化し、前記Ｎ２値を表現可能なＫ２ビットのコードとして出力する第２量子化工程と、
前記多値のカラー画像データの色成分に応じて、前記第１量子化工程または前記第２量子化工程のいずれかを選択して量子化する量子化選択工程と、
前記量子化選択工程によって前記第１量子化工程が選択された場合には、前記Ｋ１ビットのコードをＭ画素分集めて、Ｌ１（Ｋ１×Ｍ＞Ｌ１）ビットのコードに変換する変換工程と、
前記変換工程から出力されるデータを所定ビット単位のデータにまとめて出力する出力工程と、
を有することを特徴とする画像処理装置の制御方法。
【請求項１５】
カラー画像データに基づいて画像を記録する画像記録装置の制御方法であって、
前記カラー画像データの色成分に応じて、所定ビット単位で、圧縮処理されているコードと、圧縮処理されていないコードとに分離する分離工程と、
前記分離工程によって分離された前記圧縮処理されているコードを復元する復元工程と、
前記圧縮処理されていないコードおよび前記復元されたコードを用いて前記画像を記録する画像記録工程と、
を有することを特徴とする画像記録装置の制御方法。
【手続補正２】
【補正対象書類名】明細書
【補正対象項目名】００３２
【補正方法】変更
【補正の内容】
【００３２】
【課題を解決するための手段】
上記目的を達成するための本発明に係る一態様としての画像処理装置は、以下の構成を有する。すなわち、多値のカラー画像データを出力する画像処理装置であって、前記多値のカラー画像データの色成分をＮ１値に量子化し、前記Ｎ１値を表現可能なＫ１ビットのコードとして出力する第１量子化手段と、前記多値のカラー画像データの色成分を前記Ｎ１より大きいＮ２値に量子化し、前記Ｎ２値を表現可能なＫ２ビットのコードとして出力する第２量子化手段と、前記多値のカラー画像データの色成分に応じて、前記第１量子化手段または前記第２量子化手段のいずれかを選択する量子化選択手段と、前記量子化選択手段によって前記第１量子化手段が選択された場合には、前記Ｋ１ビットのコードをＭ画素分集めて、Ｋ１×Ｍ未満のＬ１ビットのコードに変換する変換手段と、前記変換手段から出力されるデータを所定ビット単位のデータにまとめて出力する出力手段と、を有することを特徴とする。


【手続補正３】
【補正対象書類名】明細書
【補正対象項目名】００３９
【補正方法】変更
【補正の内容】
【００３９】
上記目的を達成するための本発明に係る一実施形態の画像記録装置は、以下の構成を有する。すなわち、カラー画像データに基づいて画像を記録する画像記録装置であって、前記カラー画像データの色成分に応じて、所定ビット単位で、圧縮処理されているコードと、圧縮処理されていないコードとに分離する分離手段と、前記分離手段によって分離された前記圧縮処理されているコードを復元する復元手段と、前記圧縮処理されていないコードおよび前記復元されたコードを用いて前記画像を記録する画像記録手段とを有することを特徴とする。


【手続補正４】
【補正対象書類名】明細書
【補正対象項目名】００４８
【補正方法】変更
【補正の内容】
【００４８】
上記目的を達成するための本発明に係る一実施形態のプリンタドライバは、以下の構成を有する。すなわち、情報処理装置で実行され、画像記録装置に記録用の多値のカラー画像データを出力するプリンタドライバであって、前記多値のカラー画像データの色成分をＮ１値に量子化し、前記Ｎ１値を表現可能なＫ１ビットのコードとして出力する第１量子化工程のコードと、前記多値のカラー画像データの色成分を前記Ｎ１より大きいＮ２値に量子化し、前記Ｎ２値を表現可能なＫ２ビットのコードとして出力する第２量子化工程のコードと、前記多値のカラー画像データの色成分に応じて、前記第１量子化工程または前記第２量子化工程のいずれかを選択する量子化選択工程のコードと、前記量子化選択工程によって前記第１量子化工程が選択された場合に、前記Ｋ１ビットのコードをＭ画素分集めて、Ｋ１×Ｍ未満のＬ１ビットのコードに変換する変換工程のコードと、前記量子化選択工程によって前記第２量子化工程が選択された場合に、前記Ｋ２ビットのコードを変換せずにそのまま出力する無変換工程のコードと、前記変換工程および前記無変換工程から出力されるデータを所定ビット単位のデータにまとめて出力する出力工程のコードと、を有することを特徴とする。


【手続補正５】
【補正対象書類名】明細書
【補正対象項目名】００５４
【補正方法】変更
【補正の内容】
【００５４】
上記目的を達成するための本発明に係る一実施形態の画像処理装置の制御方法は、以下の構成を有する。すなわち、多値のカラー画像データを出力する画像処理装置の制御方法であって、前記多値のカラー画像データの色成分をＮ１値に量子化し、前記Ｎ１値を表現可能なＫ１ビットのコードとして出力する第１量子化工程と、前記多値のカラー画像データの色成分をＮ２（Ｎ２＞Ｎ１）値に量子化し、前記Ｎ２値を表現可能なＫ２ビットのコードとして出力する第２量子化工程と、前記多値のカラー画像データの色成分に応じて、前記第１量子化工程または前記第２量子化工程のいずれかを選択して量子化する量子化選択工程と、前記量子化選択工程によって前記第１量子化工程が選択された場合には、前記Ｋ１ビットのコードをＭ画素分集めて、Ｌ１（Ｋ１×Ｍ＞Ｌ１）ビットのコードに変換する変換工程と、前記変換工程から出力されるデータを所定ビット単位のデータにまとめて出力する出力工程と、を有することを特徴とする。


【手続補正６】
【補正対象書類名】明細書
【補正対象項目名】００５５
【補正方法】変更
【補正の内容】
【００５５】
上記目的を達成するための本発明に係る一実施形態の画像記録装置の制御方法は、以下の構成を有する。すなわち、カラー画像データに基づいて画像を記録する画像記録装置の制御方法であって、前記カラー画像データの色成分に応じて、所定ビット単位で、圧縮処理されているコードと、圧縮処理されていないコードとに分離する分離工程と、前記分離工程によって分離された前記圧縮処理されているコードを復元する復元工程と、前記圧縮処理されていないコードおよび前記復元されたコードを用いて前記画像を記録する画像記録工程と、を有することを特徴とする。